(57)【要約】【課題】商品の読取作業を円滑に行うことができ、レジ精算を効率良く進めることができるレジ精算システム及びレジ精算方法を提供する。【解決手段】レジ精算システムは、店員１１の操作によりスキャナ１６で商品１２の価格を読み取る読取装置１３と、該読取装置１３により読み取られた価格の合計金額を顧客が入金する精算装置とを有するレジ精算装置を備えている。このレジ精算装置における読取装置１３の両側部２３、２５には、商品１２が収容されるカート２４が配置可能に構成されている。前記カート２４の一側部２３には顧客により買上げられた商品１２が収容されたカート２４が配置されるとともに、他側部２５には空のカート２４が配置される。そして、一側部２３に位置するカート２４と他側部２５に位置するカート２４を、商品収容状態と空状態に交互に設定して使用するようになっている。【選択図】図１
2017021639.tif 000002
【特許請求の範囲】
【請求項１】
店員の操作により商品の価格を読み取る読取装置と、該読取装置により読み取られた価格の合計金額を顧客が入金する精算装置とを有するレジ精算装置を備えたレジ精算システムであって、
前記レジ精算装置における読取装置の両側部には商品が収容されるカートを配置可能に構成し、いずれか一方の側部には顧客により買上げられた商品が収容されたカートを配置するとともに、他方の側部には空のカートを配置し、いずれか一方の側部に位置するカートと他方の側部に位置するカートを、商品収容状態と空状態に交互に設定して使用するように構成したレジ精算システム。
【請求項２】
前記カートには収容かごが一体形成されるとともに、カートは同一形状のもので構成されている請求項１に記載のレジ精算システム。
【請求項３】
前記読取装置に設けられたテーブルの高さは、カートの収容かごの上端部の高さに一致するように設定されている請求項２に記載のレジ精算システム。
【請求項４】
前記精算装置は、１つの読取装置に対して複数設けられている請求項１から請求項３のいずれか１項に記載のレジ精算システム。
【請求項５】
前記精算装置は、読取装置の両側部の後方延長線上に位置するように設けられている請求項４に記載のレジ精算システム。
【請求項６】
請求項１から請求項５のいずれか一項に記載のレジ精算システムを用いたレジ精算方法であって、
顧客によって買上げられた商品が収容されたカートを読取装置のいずれか一方の側部に搬入するとともに、読取装置の他方の側部には空のカートを配置し、いずれか一方の側部に位置するカートと他方の側部に位置するカートを、商品収容状態と空状態に交互に設定して読取作業を行った後、商品が収容されたカートを精算装置へ移動させて精算を行うレジ精算方法。
【請求項７】
前記精算装置は１つの読取装置に対して複数設けられ、顧客は精算装置を選択して精算を行う請求項６に記載のレジ精算方法。
【発明の詳細な説明】
【技術分野】
【０００１】
本発明は、例えばスーパーマーケット等において、店員がスキャナで商品の価格を読み取る読取装置と、その読取装置で算出された合計金額を顧客が支払うための精算装置とを備えたレジ精算システム及びレジ精算方法に関する。
【背景技術】
【０００２】
従来、複数台のレジ精算装置を併設したレジ精算システムにおいては、顧客が手提げかご（手持ちかご）に買上商品を投入し、その手提げかごをカートの格子状枠内に置いた状態で、レジ精算装置で店員がスキャナを用いて商品の価格を読み取るとともに、その商品を別の手提げかごに収容する。全ての商品の読み取りが終了すると、その場で精算装置により合計金額の清算を行うようになっている。
【０００３】
この種のレジ精算システムが例えば特許文献１に示されている。すなわち、このシステムでは、買上商品を読み取る読取装置と、その読取装置によって読み取られた価格の合計金額を支払う精算装置とが分離され、読取作業と精算作業が異なる位置で行われるように構成されている。このため、レジ精算を全体として整然と行うことができる。
【先行技術文献】
【特許文献】
【０００４】
【特許文献１】特開２０１５−２６１２５号公報
【発明の概要】
【発明が解決しようとする課題】
【０００５】
前記特許文献１に記載されている従来構成のレジ精算システムにおいて、読取作業が読取装置の一側部のみを利用して行われることから、顧客の流れが限られてそこで滞りが生じ、読取作業を円滑に行うことができなかった。さらに、読取作業においては、店員が読取装置のテーブル上に置かれた商品を読取装置で読み取った後に、同じテーブル上の後方位置に置かれた別の手提げかごに収容しなければならない。このため、読取作業の前後において手間取り、読取作業の終了までに時間を要するという問題があった。
【０００６】
そこで、本発明の目的とするところは、商品の読取作業を円滑に行うことができ、レジ精算を効率良く進めることができるレジ精算システム及びレジ精算方法を提供することにある。
【課題を解決するための手段】
【０００７】
上記の目的を達成するために、本発明のレジ精算システムは、店員の操作により商品の価格を読み取る読取装置と、該読取装置により読み取られた価格の合計金額を顧客が入金する精算装置とを有するレジ精算装置を備えたレジ精算システムであって、前記レジ精算装置における読取装置の両側部には商品が収容されるカートを配置可能に構成し、いずれか一方の側部には顧客により買上げられた商品が収容されたカートを配置するとともに、他方の側部には空のカートを配置し、いずれか一方の側部に位置するカートと他方の側部に位置するカートを、商品収容状態と空状態に交互に設定して使用するように構成したものである。
【０００８】
前記カートには収容かごが一体形成されるとともに、カートは同一形状のもので構成されていることが好ましい。
前記読取装置に設けられたテーブルの高さは、カートの収容かごの上端部の高さに相当するように設定されていることが好ましい。
【０００９】
前記精算装置は、１つの読取装置に対して複数設けられていることが好ましい。
前記精算装置は、読取装置の両側部の後方延長線上に位置するように設けられていることが好ましい。
【００１０】
前記レジ精算システムを用いたレジ精算方法は、顧客によって買上げられた商品が収容されたカートを読取装置のいずれか一方の側部に搬入するとともに、読取装置の他方の側部には空のカートを配置し、いずれか一方の側部に位置するカートと他方の側部に位置するカートを、商品収容状態と空状態に交互に設定して読取作業を行った後、商品が収容されたカートを精算装置へ移動させて精算を行うものである。
【００１１】
前記精算装置は１つの読取装置に対して複数設けられ、顧客は精算装置を選択して精算を行うことが好ましい。
【発明の効果】
【００１２】
本発明のレジ精算システムによれば、商品の読取作業を円滑に行うことができ、レジ精算を効率良く進めることができるという効果を奏する。
【図面の簡単な説明】
【００１３】
【図１】レジ精算装置において、読取装置の一側部に搬入されたカート内の商品を店員がスキャナにかざして価格を読み取り、その商品を店員が他側部のカートに収容する状態を示す斜視図。
【図２】レジ精算システムの概略を平面的に示す説明図。
【図３】読取装置の一側部に、収容かごが一体形成されたカートを配置した状態を示す側面図。
【図４】読取装置の他側部のカートに読み取りが終了した商品が収容された後に前方へ移動する状態を示す斜視図。
【図５】読取装置の他側部に商品が収容されたカートが配置され、その商品の価格を店員がスキャナで読み取って一側部のカートに収容している状態を示す斜視図。
【発明を実施するための形態】
【００１４】
以下、本発明の実施形態を図１〜図５に基づいて詳細に説明する。
図２に示すように、本実施形態におけるレジ精算システム１０は、店員１１の操作により商品１２の価格を読み取る読取装置１３と、該読取装置１３により読み取られた価格の合計金額を顧客が入金して清算する精算装置１４とよりなるレジ精算装置１５が左右方向に複数（本実施形態では３つ）並設して構成されている。
【００１５】
図１に示すように、前記各レジ精算装置１５における読取装置１３は複数のスキャナ１６を備え、商品１２に付された図示しないバーコードを読み取って商品１２の価格及びその合計金額の算出を行う。読取装置１３の本体ボックス１７上端のテーブル１８上に設けられたスキャナ１６は、店員１１が商品１２をそのスキャナ１６上に置くことによりバーコードを読み取る。前記テーブル１８の前端部に立設された支持ボックス１９の前面には、左右に一対のスキャナ１６が配設され、店員１１が商品１２をテーブル１８上に置いて商品１２の背面側に付されたバーコードを読み取るようになっている。
【００１６】
前記本体ボックス１７内には、図示しない電源ボックス、制御ボックス等が収納されている。なお、スキャナ１６としては、手持ちスキャナ等の図示しないスキャナ１６も備えられている。
【００１７】
前記支持ボックス１９の上端部前面には表示部２０が設けられるとともに、その前側にはキーボード２１が配置されている。そして、スキャナ１６で読み取られた商品１２の価格を表示したり、キーボード２１で入力した事項を表示したり、修正したりできるようになっている。また、支持ボックス１９の前面中央部にはプリンタユニット２２が組み込まれ、表示部２０に表示された商品１２の価格や合計金額を印刷してレシートを発行する。このレシートにはバーコードが付され、精算装置１４でそのバーコードを読み取って精算できるようになっている。
【００１８】
図３に示すように、前記表示部２０の裏面側には顧客用表示部３１が設けられ、スキャナ１６で読み取られた商品１２の価格や合計金額を表示して顧客に示すようになっている。
【００１９】
図１に示すように、前記読取装置１３の一方の側部（一側部）２３には、顧客によって買上げられた商品１２が収容されたカート２４が配置される。一方、読取装置１３の他方の側部（他側部）２５には、空のカート２４が配置される。その状態で、店員１１が読取装置１３の一側部２３に位置するカート２４から商品１２を取り出してスキャナ１６でバーコードを読み取った後、図１の二点鎖線で示すようにその商品１２を読取装置１３の他側部２５に位置するカート２４へ収容する。
【００２０】
図２及び図４に示すように、読取装置１３の他側部２５に位置するカート２４内に商品１２が移行された後、そのカート２４は前方へ移動し、精算装置１４で精算される。このため、読取装置１３の他側部２５にはカート２４が存在しない状態となる。なお、前後方向に配置された読取装置１３と精算装置１４との間に一定間隔を置くことにより、読取装置１３と精算装置１４との間に十分なスペースが形成され、そのスペースに読取作業が終了した商品１２が収容されたカート２４を配置でき、精算装置１４による精算を待つことができる。
【００２１】
図５に示すように、その読取装置１３の他側部２５には、別の顧客によって買上げられた商品１２が収容されたカート２４が搬入される。その状態で、店員１１が読取装置１３の他側部２５に位置するカート２４から商品１２を取り出してスキャナ１６でバーコードを読み取った後、図５の二点鎖線で示すようにその商品１２を読取装置１３の一側部２３に位置するカート２４へ収容する。このように、読取装置１３の一側部２３に位置するカート２４と他側部２５に位置するカート２４を、商品収容状態と空状態に交互に設定して読取作業を継続する。
【００２２】
図１に示すように、前記カート２４の底部には平面長四角形状のガード板２６が配設され、そのガード板２６の四隅にはキャスター２７が取付けられている。ガード板２６の上方位置には、長四角かご状に形成された収容かご２８が本体枠２９に対して片持ち支持されている。本体枠２９の上端部には、斜め外方へ延びるハンドル枠３０が突出形成されている。このように、カート２４には収容かご２８が一体形成され、その中に商品１２が収容されることから、カート２４とは別に手提げかごを用意する必要がない。本実施形態のレジ精算システム１０において使用されるカート２４は全て同一形状のカート２４である。
【００２３】
図３に示すように、前記読取装置１３に設けられたテーブル１８の高さは、読取装置１３の両側部２３、２５に位置するカート２４の収容かご２８の上端部の高さに一致するように設定されている。テーブル１８の高さをこのように設定することにより、店員１１が読取装置１３の一側部２３に位置するカート２４の収容かご２８内から商品１２を取出しやすく、読取装置１３の他側部２５に位置するカート２４の収容かご２８へ収容しやすくすることができる。
【００２４】
図２に示すように、前記各読取装置１３の後方位置には、複数の精算装置１４が一定間隔をおいて左右方向に一列に配置されている。この精算装置１４は、１つの読取装置１３に対して２つずつ（一対ずつ）設けられている。各精算装置１４は読取装置１３の一側部２３と他側部２５の後方延長線上に配置されている。
【００２５】
前記精算装置１４は、読取装置１３で読み取られた商品１２の価格の合計金額が印刷されたレシートのバーコードを読み取ることにより、顧客が購入した商品１２の合計金額を入金して支払うことができるようになっている。なお、複数の精算装置１４は、いずれのレジ精算装置１５における読取装置１３で読み取られた商品１２の合計金額を示すレシートであっても、そのバーコードを読み取って精算することができる。
【００２６】
次に、前述したレジ精算システム１０を用いたレジ精算方法について作用とともに説明する。
さて、図１の実線の矢印に示すように、顧客によって買上げられた商品１２が収容かご２８に収容されたカート２４は読取装置１３の一側部２３に搬入される。このとき、読取装置１３の他側部２５には空の収容かご２８を有するカート２４が配置されている。その状態で、店員１１は読取装置１３の一側部２３に位置するカート２４の収容かご２８内の商品１２を読取装置１３のテーブル１８上へ置いてスキャナ１６で読み取った後、読取装置１３の他側部２５に位置するカート２４の収容かご２８内へ収容する。この操作を繰り返し、全ての商品１２を読取装置１３の他側部２５に位置するカート２４の収容かご２８へ収容する。
【００２７】
図４の矢印に示すように、その後読取装置１３の他側部２５に位置するカート２４を後方へ移動させる。このとき、読取装置１３の他側部２５にはカート２４が存在しない状態になるとともに、読取装置１３の一側部２３に位置するカート２４の収容かご２８は、商品１２が収容されていない空の状態になっている。
【００２８】
このため、図５の実線の矢印に示すように、次の顧客はカート２４を読取装置１３の他側部２５に搬入することができる。従って、店員１１は読取装置１３の他側部２５に位置するカート２４の収容かご２８内の商品１２をスキャナ１６で読み取ることができる。その結果、読取装置１３の両側部２３、２５を交互に利用し、読取装置１３における作業を円滑に進行させることができる。
【００２９】
図２に示すように、読取装置１３の他側部２５に位置していたカート２４はその後方延長線に沿って真っ直ぐに移動し、精算装置１４に到る。そして、顧客は精算装置１４において、読取装置１３で読み取られて計算された合計金額を支払う。このとき、精算装置１４は１つの読取装置１３に対して複数設けられていることから、顧客は空いている精算装置１４を選択してその前に立ち、速やかに精算を済ますことができる。
【００３０】
その後、図５の実線の矢印に示すように、次の顧客のカート２４が読取装置１３の他側部２５に搬入され、店員１１はそのカート２４の収容かご２８内の商品１２を取り出してスキャナ１６で読み取り、図５の二点鎖線に示すように、読取装置１３の一側部２３に位置するカート２４の収容かご２８に収容する。そして、図５の二点鎖線の矢印に示すように、全ての商品１２が読取装置１３の一側部２３に位置するカート２４の収容かご２８に収容された後、カート２４はその後方へ移動される。
【００３１】
このように、本実施形態では読取装置１３の一側部２３に位置するカート２４の収容かご２８と他側部２５に位置するカート２４の収容かご２８を、商品収容状態と空状態に交互に繰り返して使用する。そのため、読取装置１３において滞りが生ずることを抑制することができ、読取作業を円滑に進めることができる。
【００３２】
以上の実施形態によって発揮される効果を以下にまとめて記載する。
（１）本実施形態のレジ精算システム１０では、読取装置１３の両側部２３、２５には商品１２が収容されるカート２４を配置可能に構成し、一側部２３には顧客により買上げられた商品１２が収容されたカート２４を配置するとともに、他側部２５には空のカート２４を配置する。そして、一側部２３のカート２４と他側部２５のカート２４を、商品収容状態と空状態に交互に設定して使用するように構成した。
【００３３】
このため、読取装置１３の両側部２３、２５を有効に利用することができ、読取装置１３の前後で顧客が待機する状態を抑制し、商品１２の読取作業を迅速に進めることができる。さらに、読取作業と精算作業を分離したことから、レジ精算の一部における滞りを抑制することができ、レジ精算システム１０全体の効率化を図ることができる。加えて、店員１１の読取操作が右から左への操作と、引き続いて行われる左から右への操作との繰り返しになるため、店員１１の疲労や腰の痛みを和らげることができる。
【００３４】
従って、この実施形態のレジ精算システム１０によれば、商品１２の読取作業を円滑に行うことができ、レジ精算を効率良く進めることができる。
（２）前記カート２４には収容かご２８が一体形成されるとともに、カート２４は全て同一形状のもので構成されている。そのため、カート２４の構成を簡易にできるとともに、手提げかごを省略することができ、レジ精算システム１０の簡素化を図ることができる。
【００３５】
（３）前記読取装置１３に設けられたテーブル１８の高さは、カート２４の収容かご２８の上端部の高さに一致するように設定されている。この構成により、店員１１が収容かご２８から商品１２を取り出してスキャナ１６で読み取る操作や読み取り後に商品１２を収容かご２８に収容する操作を姿勢を変えることなく楽に行うことができ、読取作業を速やかに進行させることができる。
【００３６】
（４）前記精算装置１４は１つの読取装置１３に対して複数設けられている。このため、１つの精算装置１４が塞がっているときでも他の精算装置１４を使用でき、精算作業を迅速に行うことができる。
【００３７】
（５）前記精算装置１４は読取装置１３の両側部２３、２５の後方延長線上に位置するように設けられている。そのため、顧客は読取装置１３の両側部２３、２５から後方へその延長線に沿って移動することにより精算装置１４に到ることができ、精算作業に速やかに移ることができる。
【００３８】
（６）レジ精算方法は、顧客によって買上げられた商品１２が収容されたカート２４を読取装置１３の一側部２３に搬入するとともに、読取装置１３の他側部２５には空のカート２４を配置する。そして、一側部２３に位置するカート２４の収容かご２８と他側部２５に位置するカート２４の収容かご２８を、商品収容状態と空状態に交互に設定して読取作業を継続する。その後、商品１２が収容されたカート２４を精算装置１４へ移動させて精算を行う。
【００３９】
このため、読取装置１３の両側部２３、２５を有効に利用して読取作業を行うことができ、読取装置１３での滞りを抑えることができ、読取作業を効率的に進めることができる。
【００４０】
（７）前記精算装置１４は１つの読取装置１３に対して複数設けられ、顧客は精算装置１４を選択して精算を行う。この場合、１つの精算装置１４が塞がっていても、顧客は他の精算装置１４を選択することができ、読取作業から精算作業へ速やかに移行することができる。
【００４１】
なお、前記実施形態を次のように変更して具体化することも可能である。
・前記カート２４の収容かご２８を本体枠２９に対して着脱可能に構成し、収容かご２８を手提げかごとして使用できるように構成してもよい。
【００４２】
・前記各レジ精算装置１５における一対の精算装置１４を、向い合せに配置したり、前後に配置したりしてもよい。
・前記読取装置１３や精算装置１４に番号等の識別表示を設け、顧客にそれらの位置を認識できるように構成してもよい。
【符号の説明】
【００４３】
１０…レジ精算システム、１１…店員、１２…商品、１３…読取装置、１４…精算装置、１５…レジ精算装置、１８…テーブル、２３…一側部、２４…カート、２５…他側部、２８…収容かご。
【図１】
2017021639.tif 000003
【図２】
2017021639.tif 000004
【図３】
2017021639.tif 000005
【図４】
2017021639.tif 000006
【図５】
2017021639.tif 000007